(57)【要約】【課題】灯体の発光だけを目立って際立たせることができ、多様な電飾、照明、情報表示を可能にする発光器具を提供する。【解決手段】ＬＥＤを光源とするＬＥＤ灯体３と、ＬＥＤ灯体３に電源を供給する給電線２１と、ＬＥＤ灯体３にＬＥＤを駆動する制御信号を供給する駆動制御線２２、２３、２４とを備え、給電線２１と駆動制御線２２、２３、２４と所要の絶縁保護膜２２１、２３１、２４１とから構成される電線２の最大幅を２ｍｍ以下とすると共に、透光性樹脂４１内にガラスビーズ４２を分散して拡散体４を構成し、拡散体４でＬＥＤ灯体３の周囲を略球形に被覆する発光器具。【選択図】図１
2010244840.tif 000002
【特許請求の範囲】
【請求項１】
ＬＥＤを光源とする灯体と、
前記灯体に電源を供給する給電線と、
前記灯体にＬＥＤを駆動する制御信号を供給する駆動制御線とを備え、
前記給電線と前記駆動制御線と所要の絶縁保護膜とから構成される電線の最大幅を２ｍｍ以下とすることを特徴とする発光器具。
【請求項２】
透光性樹脂と、
前記透光性樹脂内に分散して埋設される拡散片とで拡散体を構成し、
前記拡散体で前記灯体の周囲を略被覆することを特徴とする請求項１記載の発光器具。
【請求項３】
前記拡散体で前記灯体の周囲を略球形に被覆することを特徴とする請求項２記載の発光器具。
【請求項４】
前記灯体に防水処理が施されていることを特徴とする請求項１〜３の何れかに記載の発光器具。
【請求項５】
一若しくは複数の前記駆動制御線の直径を５００μｍ以下とし、
前記駆動制御線に制御信号を供給する駆動制御回路に定電流回路を設けることを特徴とする請求項１〜４の何れかに記載の発光器具。
【請求項６】
前記給電線若しくは少なくとも一の駆動制御線を、引張強度３００Ｎ／ｍｍ2以上４０００Ｎ／ｍｍ2以下で前記灯体を吊下げ可能な主導線とし、
前記主導線を前記灯体に固着することを特徴とする請求項１〜５の何れかに記載の発光器具。
【請求項７】
前記主導線をベリリウム銅線若しくはリン青銅線とすることを特徴とする請求項６記載の発光器具。
【請求項８】
前記給電線と前記駆動制御線のうち、前記主導線に直接対応する絶縁保護膜を設けずに、前記主導線以外の複数の導線に絶縁保護膜を設け、
前記複数の導線を前記主導線に沿うように設け、若しくは前記複数の導線を前記主導線に撚るように設け、
前記主導線と前記複数の導線の全体の外周を別の絶縁保護膜で被覆することを特徴とする請求項６又は７の何れかに記載の発光器具。
【請求項９】
一端が固定面に固定される支持棒の他端を前記灯体に固定することを特徴とする請求項１〜８の何れかに記載の発光器具。
【請求項１０】
請求項１〜９の何れかに記載の発光器具の前記灯体を、吊下げる若しくは前記支持棒で支持する若しくは支持線に数珠繋ぎに繋ぐことにより、所定間隔を開けて複数配設することを特徴とする発光装置。
【請求項１１】
請求項１０記載の発光器具の前記灯体を吊下げることにより、所定間隔を開けて平面状若しくは曲面状に複数配設し、
前記複数の灯体により、前記発光器具の吊下面から浮き出している上方視で視る画面を構成することを特徴とする発光装置。
【請求項１２】
請求項１０記載の発光器具の前記灯体を前記支持棒で支持することにより、所定間隔を開けて平面状若しくは曲面状に複数配設し、
前記複数の灯体により、前記固定面から浮き出している上方視、側方視若しくは下方視で見る画面を構成することを特徴とする発光装置。
【発明の詳細な説明】
【技術分野】
【０００１】
本発明は、ＬＥＤ（発光ダイオード）を光源とする発光器具及び発光装置に関する。
【背景技術】
【０００２】
ＬＥＤ（発光ダイオード）を光源とする発光器具として特許文献１の吊下式発光器具がある。特許文献１の吊下式発光器具は、光源であるＬＥＤと、ＬＥＤの周囲全体を被っているプラスチック樹脂のＬＥＤ容器と、ＬＥＤの上側に設けられる光量制御回路及びバッテリー回路とを備え、前記光量制御回路及びバッテリー回路から下方に延びる螺旋状に巻かれたフレキシブルな電線で前記ＬＥＤを吊下げるものである。
【０００３】
【特許文献１】特開平６−７７５３９号公報
【発明の開示】
【発明が解決しようとする課題】
【０００４】
ところで、特許文献１の発光器具は、通常の太い螺旋状に巻かれた電線でＬＥＤを吊下げるものであるが、斯様な太い螺旋状の電線は非常に目立つものであるため、灯体の発光だけを際立たせることは難しい。他方において、ＬＥＤを用いた電飾等においては、多様な電飾を可能にすべく、灯体の発光だけを目立って際立たせることができる発光器具が求められている。
【０００５】
本発明は上記課題に鑑み提案するものであって、灯体の発光だけを目立って際立たせることができ、多様な電飾、照明、情報表示を可能にする発光器具、及びその発光器具を備える発光装置を提供することを目的とする。
【課題を解決するための手段】
【０００６】
本発明の発光器具は、ＬＥＤを光源とする灯体と、前記灯体に電源を供給する給電線と、前記灯体にＬＥＤを駆動する制御信号を供給する駆動制御線とを備え、前記給電線と前記駆動制御線と所要の絶縁保護膜とから構成される電線の最大幅を２ｍｍ以下とすることを特徴とする。給電線と駆動制御線と所要の絶縁保護膜で構成される電線の最大幅は、２ｍｍ以下とすると、目視が難しい程度となって好適であり、好ましくは０ｍｍ超１ｍｍ以下、更に好ましくは０ｍｍ超０．５ｍｍ以下、更により好ましくは０．２ｍｍ以下とするとよい。また、電線の外周全体に亘って絶縁保護膜を設け、その絶縁保護膜の外周面の反射率を低反射率、例えば反射率４％〜２０％とすると、電線の目視をより難しくすることができて好適である。
【０００７】
また、本発明の発光器具は、透光性樹脂と、前記透光性樹脂内に分散して埋設される拡散片とで拡散体を構成し、前記拡散体で前記灯体の周囲を略被覆することを特徴とする。前記拡散片には、光拡散機能を有する適宜の形状及び素材のものを用いることが可能であるが、例えばガラスビーズとすると好適である。また、拡散片の形状は球形とすることが好ましく、その直径は灯体寸法の５分の１以下とすることが好ましい。また、拡散片の分散度はできるだけ均一とすることが好ましい。
【０００８】
また、本発明の発光器具は、前記拡散体で前記灯体の周囲を略球形に被覆することを特徴とする。拡散体は、灯体の周囲を略球形に被覆する他に、例えば楕円形、円柱形、多面体、若しくは凹凸を持たせた形状等で被覆することも可能である。
【０００９】
また、本発明の発光器具は、前記灯体に防水処理が施されていることを特徴とする。前記灯体の防水処理としては透光性樹脂等の樹脂被覆とすると良く、また、給電線や駆動制御線と灯体との結合部を樹脂被覆すると好適である。前記防水処理には電線の絶縁保護膜を共用することが可能である。
【００１０】
また、本発明の発光器具は、一若しくは複数の前記駆動制御線の直径を５００μｍ以下とし、前記駆動制御線に制御信号を供給する駆動制御回路に定電流回路を設けることを特徴とする。前記構成では、給電線の直径も５００μｍ以下とすると好適である。
【００１１】
また、本発明の発光器具は、前記給電線若しくは少なくとも一の駆動制御線を、引張強度３００Ｎ／ｍｍ2以上４０００Ｎ／ｍｍ2以下で前記灯体を吊下げ可能な主導線とし、前記主導線を前記灯体に固着することを特徴とする。前記主導線は、引張強度３００Ｎ／ｍｍ2以上４０００Ｎ／ｍｍ2以下の適宜の導線とすることが可能である。また、主導線の引張強度は、引張強度７００Ｎ／ｍｍ2以上１２００Ｎ／ｍｍ2以下とするとより好適である。また、主導線の灯体への固着は、例えば半田付けとすると好適である。また、給電線と駆動制御線等で構成される電線は、例えば少なくとも主導線が略直線状に延び、全体として略直線状に延びる電線とすると好適であるが、用途に応じて、例えば全体として略螺旋状になって延びるものとすることも可能である。
【００１２】
また、本発明の発光器具は、前記主導線をベリリウム銅線若しくはリン青銅線とすることを特徴とする。また、黄銅、ステンレス、０．６〜０．９５重量％の炭素を含有する硬鋼線（ピアノ線）等とすることも可能である。前記主導線以外の導線、即ち主導線を構成する給電線若しくは一の駆動制御線以外の導線には適宜のものを用いることが可能であるが、例えば銅線、電気配線用銅合金等とすると好適である。
【００１３】
また、本発明の発光器具は、前記給電線と前記駆動制御線のうち、前記主導線に直接対応する絶縁保護膜を設けずに、前記主導線以外の複数の導線に絶縁保護膜を設け、前記複数の導線を前記主導線に沿うように設け、若しくは前記複数の導線を前記主導線に撚るように設け、前記主導線と前記複数の導線の全体の外周を別の絶縁保護膜で被覆することを特徴とする。
【００１４】
また、本発明の発光器具は、一端が固定面に固定される支持棒の他端を前記灯体に固定することを特徴とする。前記支持棒の素材は適宜であるが、目視を難しくするために透光性の素材、例えば透光性の硬質プラスチック等とすると良好である。また、目視を難しくするために、支持棒の太さは２ｍｍ以下、好ましくは１ｍｍ以下とすると好適である。
【００１５】
また、本発明の発光装置は、本発明の発光器具の前記灯体を、吊下げる若しくは前記支持棒で支持する若しくは支持線に数珠繋ぎに繋ぐことにより、所定間隔を開けて複数配設することを特徴とする。前記支持線の太さは、目視を難しくするために２ｍｍ以下、好ましくは１ｍｍ以下とすると好適である。
【００１６】
また、本発明の発光装置は、本発明の発光器具の前記灯体を吊下げることにより、所定間隔を開けて平面状若しくは曲面状に複数配設し、前記複数の灯体により、前記発光器具の吊下面から浮き出している上方視で視る画面を構成することを特徴とする。
【００１７】
また、本発明の発光装置は、本発明の発光器具の前記灯体を前記支持棒で支持することにより、所定間隔を開けて平面状若しくは曲面状に複数配設し、前記複数の灯体により、前記固定面から浮き出している上方視、側方視若しくは下方視で見る画面を構成することを特徴とする。
【００１８】
尚、本明細書開示の発明には、各発明や各実施形態の構成の他に、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれる。
【００１９】
例えば本明細書開示の発明には、ＬＥＤを光源とする灯体と、前記灯体に電源を供給する給電線と、前記灯体にＬＥＤを駆動する制御信号を供給する駆動制御線と、透光性樹脂と、前記透光性樹脂内に分散して埋設される拡散片とで構成される拡散体とを備え、前記拡散体で前記灯体の周囲を略被覆することを特徴とする発光器具、及びその変形例、これらの発光器具を備える発光装置も含まれる。
【００２０】
また、本明細書開示の発明には、ＬＥＤを光源とする灯体と、前記灯体に電源を供給する給電線と、前記灯体にＬＥＤを駆動する制御信号を供給する駆動制御線とを備え、前記給電線若しくは少なくとも一の駆動制御線を、引張強度３００Ｎ／ｍｍ2以上１２００Ｎ／ｍｍ2以下で前記灯体を吊下げ可能な主導線とし、前記主導線を前記灯体に固着することを特徴とする発光器具、及びその変形例、これらの発光器具を備える発光装置も含まれる。
【発明の効果】
【００２１】
本発明の発光器具或いは発光装置は、給電線と駆動制御線と所要の絶縁保護膜とから構成される電線の最大幅を２ｍｍ以下とすることにより、電線の目視を非常に難しくして、ＬＥＤの灯体の発光だけを目立って際立たせることが可能となり、多様な電飾、照明、情報表示を可能にすることができる。例えば灯体で構成される光体が宙に浮いているように見せることもできる。
【００２２】
また、透光性樹脂と、前記透光性樹脂内に分散して埋設される拡散片とで拡散体を構成し、前記拡散体で前記灯体の周囲を略被覆することにより、拡散光が周囲に放射される光体を有するような発光器具を構成することができ、より多様且つ美観に優れる電飾等が可能になる。
【００２３】
また、拡散体で灯体の周囲を略球形に被覆することにより、拡散光を放射する光球を有する発光器具とすることができ、より一層多様且つ美観に優れる電飾等が可能になる。
【００２４】
また、灯体に防水処理を施すことにより、雨天時に屋外で使用することや、水中で使用することが可能となる。従って、例えば後述の画面を有する発光装置において、屋外に設置する画面や、水中ディスプレイなど水中に設ける画面を構成することも可能となる。
【００２５】
また、一若しくは複数の駆動制御線の直径を５００μｍ以下の細い導線とすることにより、電線の目視を一層難しくし、より確実に光体が宙に浮いているように見せることが可能となると共に、細い駆動制御線に制御信号を供給する駆動制御回路に定電流回路を設けることにより、ＬＥＤの特性のバラツキに対応して電流を一定量に制限することができることに加え、細い導線の高い配線抵抗に対して適切な電流を供給することができる。
【００２６】
また、給電線若しくは少なくとも一の駆動制御線を、引張強度３００Ｎ／ｍｍ2以上４０００Ｎ／ｍｍ2以下で前記灯体を吊下げ可能な主導線とすることにより、必要十分な引張強度で、灯体を高い強度で安定して吊下げることができる。また、引張強度７００Ｎ／ｍｍ2以上１２００Ｎ／ｍｍ2以下で前記灯体を吊下げ可能な主導線とすることにより、強過ぎない引張強度で、主導線等が使用者に絡まった場合等の破断可能性を確保し、使用者のケガを未然に防止することができる。従って、吊下げに適切な導線を有する発光器具とすることができる。
【００２７】
また、主導線をベリリウム銅線若しくはリン青銅線とすることにより、灯体の吊下げの高い安定性と、主導線の破断可能性を安価且つ確実に確保することができる。
【００２８】
また、給電線と駆動制御線のうち、主導線に直接対応する絶縁保護膜を設けずに、主導線以外の複数の導線に絶縁保護膜を設け、前記複数の導線を主導線に沿うように設け、若しくは前記複数の導線を主導線に撚るように設け、主導線と複数の導線の全体の外周を別の絶縁保護膜で被覆することにより、例えば主導線以外の複数の導線に市販の絶縁被覆導線を用い、主導線に直接対応する絶縁保護を省略し、別の絶縁保護膜で一括して電線の絶縁保護を行うことができる。従って、製造工程を効率化し、製造コストを低減することができる。
【００２９】
また、一端が固定面に固定される支持棒の他端を灯体に固定することにより、例えば天井、側壁、床等から延びる支持棒で灯体を支持することができ、吊下げを用いずに天井、側壁、床等からの支持で発光器具を設けることができる。また、支持棒を用いることにより、灯体の揺れを防ぐことができ、安定した発光位置を確実に確保することができる。
【００３０】
また、吊下げる若しくは前記支持棒で支持する若しくは支持線に数珠繋ぎに繋ぐことにより、灯体を所定間隔を開けて複数配設することにより、所定配列で美観に優れる発光装置を構成することができる。例えばライン電飾、平面や曲面の電飾、円筒状、螺旋状、球面状の配列による立体的な電飾、所要の大きさの灯体を適宜配置しての太陽系など擬似空間模型、シャンデリア等の照明、灯体を画素とする画面、灯体を画素として縦横高さに三次元的に配列する立体画面など、各種の美観に優れる電飾、照明、情報表示を行うことが可能となる。
【００３１】
また、灯体を吊下げることにより、所定間隔を開けて平面状若しくは曲面状に複数配設し、複数の灯体により、発光器具の吊下面から浮き出している上方視で視る画面を構成することにより、上方視で視る画面のディスプレイを構成することができる。
【００３２】
また、灯体を前記支持棒で支持することにより、所定間隔を開けて平面状若しくは曲面状に複数配設し、複数の灯体により、前記固定面から浮き出している上方視、側方視若しくは下方視で見る画面を構成することにより、側方視若しくは下方視で見る画面のディスプレイを構成することができる。
【発明を実施するための最良の形態】
【００３３】
本発明の実施形態の発光器具及び発光装置について説明する。
【００３４】
〔第１実施形態の発光器具及び発光装置〕
第１実施形態の発光器具は、図１及び図２に示すように、天井等に取り付けられる箱状の基体１と、例えば３．５ｍｍ角のＬＥＤ部等により赤・青・緑のＬＥＤ３３ｒ、３３ｇ、３３ｂを光源として収容しているＬＥＤ灯体３と、基体１から下方に延びてＬＥＤ灯体３に固着され、ＬＥＤ灯体３を吊り下げている電線２と、ＬＥＤ灯体３のＬＥＤ３３ｒ、３３ｇ、３３ｂの放射光を拡散する拡散体４を備える。
【００３５】
基体１内には、図２に示すように、電源回路１３と駆動制御回路が内装され、前記駆動制御回路は、ＬＥＤ３３ｒ、３３ｇ、３３ｂに流れる電流を一定量に制限すると共に抵抗が高い細い導線に対応して適切な電流を供給するための定電流回路１１ｒ、１１ｇ、１１ｂと、スイッチ１２ｒ、１２ｇ、１２ｂにより構成されている。定電流回路１１ｒ及びスイッチ１２ｒは赤のＬＥＤ３３ｒ、定電流回路１１ｇ及びスイッチ１２ｇは緑のＬＥＤ３３ｇ、定電流回路１１ｂ及びスイッチ１２ｂは青のＬＥＤ３３ｂにそれぞれ対応する。
【００３６】
電線２は、電源回路１３の電源をＬＥＤ灯体３のＬＥＤ３３ｒ、３３ｇ、３３ｂに供給する給電線２１と、ＬＥＤ３３ｒ、３３ｇ、３３ｂを駆動する、スイッチ１２ｒ、１２ｇ、１２ｂによる駆動制御信号をＬＥＤ３３ｒ、３３ｇ、３３ｂに供給する駆動制御線２２、２３、２４とから構成され、図２の二点鎖線部分が電線２に相当する。駆動制御線２２、２３、２４は、ＬＥＤ３３ｒ、３３ｇ、３３ｂにそれぞれ対応する。尚、スイッチは、入力端子でＯＮ・ＯＦＦ制御するトランジスタスイッチにしてもよい。
【００３７】
電線２は、図１及び図３に示すように、第１実施形態の主導線に相当する給電線２１が中心で鉛直方向に延び、給電線２１の周囲に駆動制御線２２、２３、２４を撚って設けている構成である。主導線に相当する給電線２１は、引張強度３００Ｎ／ｍｍ2以上４０００Ｎ／ｍｍ2以下の導線、好適には引張強度７００Ｎ／ｍｍ2以上１２００Ｎ／ｍｍ2以下の導線であり、又、その導電率は１．５〜１０Ｓ／ｃｍとすることが好ましい。給電線２１には、好適にはベリリウム銅線、若しくはリン青銅線を用いるが、黄銅、ステンレス、ピアノ線等とすることも可能である。また、主導線に相当する給電線２１には直接対応する絶縁保護膜は設けられていない。
【００３８】
また、第１実施形態の主導線以外の複数の導線に相当する駆動制御線２２、２３、２４には、好ましくは導電率５〜５０Ｓ／ｃｍの素材が用いられ、好適には銅線、電気配線用銅合金が用いられる。駆動制御線２２、２３、２４の各々にウレタン樹脂等の絶縁保護膜２２１、２３１、２４１が被覆されている。更に、給電線２１、駆動制御線２２、２３、２４は、その全体の外周をウレタン樹脂等の絶縁保護膜２５で被覆されており、絶縁保護膜２５は防水処理にもなっている。給電線２１、駆動制御線２２、２３、２４、絶縁保護膜２２１、２３１、２４１、絶縁保護膜２５で構成される電線２の最大幅は０ｍｍ超２ｍｍ以下、好ましくは０ｍｍ超１ｍｍ以下、更に好ましくは０ｍｍ超０．５ｍｍ以下、更により好ましくは０．２ｍｍ以下とするとよいが、本例ではそれよりかなり小さくなるように、給電線２１の直径を１００μｍ、駆動制御線２２、２３、２４の直径を５０μｍとしている。
【００３９】
尚、第１実施形態では給電線２１である主導線の直径の下限は、引張強度が灯体重量の吊下に耐えられる太さとし、例えば１０μｍ以上、好ましくは３０μｍ以上、より好ましくは５０μｍ以上とするとよい。また、第１実施形態では給電線２１である主導線の直径の上限は、給電線と駆動制御線とから構成される電線の全体外形の目視を難しくすることが可能な程度とすると好適であり、例えば１ｍｍ以下、好ましくは０．５ｍｍ以下、より好ましくは０．１ｍｍ以下、更により好ましくは５００μｍ以下とするとよい。また、第１実施形態では駆動制御線２２、２３、２４である主導線と並設される導線の直径、或いは主導線に撚って設けられる導線の直径は、電線２の全体外形の目視を難しくすることが可能な程度とすると好適であり、例えば１ｍｍ以下、好ましくは０．５ｍｍ以下、より好ましくは０．１ｍｍ以下、更により好ましくは５００μｍ以下とするとよい。
【００４０】
更に、非常に好適には、給電線２１の直径或いはこれに絶縁保護膜を独自に設ける場合にはその直径、駆動制御線２２、２３、２４の直径或いはこれに絶縁保護膜２２１、２３１、２４１を加えた直径は、３０〜１５０μｍ、より良くは４０〜１２０μｍとするとよい。前記構成で絶縁保護膜を設ける場合、絶縁保護膜の直径に占める割合は５〜１５％とするとよい。また、電線２の製造時には、芯線に相当する導線の外周に絶縁被覆を設け、その外周時にワニス等の融着時に融ける融着被覆を設けるものを用いると製造が容易となって好ましい。
【００４１】
ＬＥＤ灯体３は、図１に示すように、下側に発光部３１が設けられ、発光部３１からＬＥＤ３３ｒ、３３ｇ、３３ｂの照射光を照射するようになっており、発光部３１は面発光して全方向から発光を視認可能になっている。ＬＥＤ灯体３の上側には半田付け部３２が４箇所設けられている。１箇所の半田付け部３２では、絶縁保護膜２５から露出されて、主導線に相当する給電線２１の先端がＬＥＤ灯体３の接続部に半田付けで固着され、残りの３箇所の半田付け部３２では、絶縁保護膜２５及び絶縁保護膜２２１、２３１、２４１から露出されて、駆動制御線２２、２３、２４の先端がＬＥＤ灯体２の接続部に半田付けで固着されている。
【００４２】
拡散体４は、略球形の透光性樹脂４１と、透光性樹脂４１内に略均一で分散して埋設されるガラスビーズ４２とで構成され、ガラスビーズ４２は拡散片に相当する。ガラスビーズの形状は略球形で、本例での径は約１０μｍである。ガラスビーズ４２は、透光性樹脂４１内に製造時に攪拌混合されることで分散して配置されている。拡散体４は、ＬＥＤ灯体３の周囲を略球形に被覆するように設けられており、同時にＬＥＤ灯体３を被覆する防水処理にもなっている。
【００４３】
第１実施形態の発光器具を用いる場合には、基体１を天井等に固着し、ＬＥＤ灯体３を電線２或いは主導線に相当する給電線２１により吊下げて配置する。そして、基体１の図に省略した外部スイッチからスイッチ１２ｒ、１２ｇ、１２ｂを入力すると、ＬＥＤ３３ｒ、３３ｇ、３３ｂが点灯し、その照射光が拡散体４を介して外部に放射される。
【００４４】
そして、第１実施形態の発光器具による発光装置は、例えば図４に示すディスプレイ型の発光装置のように、図示省略する天井等の吊下面に各発光器具の基体１を設け、各発光器具のＬＥＤ灯体３を電線２でそれぞれ吊下げ、複数のＬＥＤ灯体３を所定間隔を開けて複数配設して構成される。図４（ａ）の発光装置では、各ＬＥＤ灯体３を画素とする平面状の画面１０１を構成するようにして、各ＬＥＤ灯体３が平面視で縦横に配列されており、この複数のＬＥＤ灯体３により、吊下面から浮き出している上方視で視る平面状の画面１０１が構成されている。また、図４（ｂ）の発光装置では、各ＬＥＤ灯体３を画素とする曲面状の画面１０２を構成するようにして、各ＬＥＤ灯体３が平面視で概略縦横に配列されており、この複数のＬＥＤ灯体３により、吊下面から浮き出している上方視で視る曲面状の画面１０２が構成されている。前記画面１０１、１０２は映像の浮き出す天井等として認識される。尚、図４（ａ）、（ｂ）の発光装置は、画面１０１、１０２の部分を空中に設置して使用する他、画面１０１、１０２の部分を水中に設置して使用することも可能である。
【００４５】
また、第１実施形態の発光器具による発光装置の他の例として、例えば必要に応じて大きさの異なるＬＥＤ灯体３や、これを被覆する大きさや色が異なる拡散体４を有する発光器具を用い、この発光器具のＬＥＤ灯体３及び拡散体４を距離が異なる所定間隔を開けて適宜配置して太陽系或いは恒星配置の模型など擬似宇宙空間の模型等を構成する発光装置、又は、ＬＥＤ灯体３を所定間隔を開けて複数配設し、ＬＥＤのＲＧＢによるフルカラー等のシャンデリア等の照明装置を構成する発光装置、又は、平面状、曲面状、段差状等にＬＥＤ灯体３を所定間隔を開けて複数配設する各種の平面的或いは立体的な電飾装置を構成する発光装置等とすることが可能である。
【００４６】
第１実施形態では、給電線２１、駆動制御線２２、２３、２４、絶縁保護膜２２１、２３１、２４１、絶縁保護膜２５で構成される電線２の最大幅を２ｍｍ以下とすることにより、電線２の目視を非常に難しくして、ＬＥＤ灯体２の発光だけを目立って際立たせることが可能となり、多様な電飾、照明、情報表示を可能にすることができる。また、電線２は細く、軽量であるため、吊下げも容易である。また、拡散体２でＬＥＤ灯体２の周囲を略球形に被覆することにより、拡散光が周囲に放射される光球のような発光器具を構成することができる。また、拡散体４による防水処理により、雨天時に屋外で使用することや、水中で使用することも可能である。
【００４７】
また、主導線に相当する給電線２１を引張強度３００Ｎ／ｍｍ2以上１２００Ｎ／ｍｍ2以下とすることにより、必要十分な引張強度で、ＬＥＤ灯体２及び拡散体４を高い強度で安定して吊下げることができると共に、強過ぎない引張強度で、電線２が使用者に絡まった場合等の破断可能性を確保し、使用者のケガを未然に防止することができる。また、定電流回路１１ｒ、１１ｇ、１１ｂにより、ＬＥＤ３３ｒ、３３ｇ、３３ｂの特性のバラツキに対応して電流を一定量に制限できることに加え、細い導線の高い配線抵抗に対して適切な電流を供給できる。また、給電線２１に直接対応する絶縁保護を省略し、絶縁保護膜２５で一括して電線２の絶縁保護を行うことができるので、製造工程を効率化し、製造コストを低減することができる。また、ＬＥＤ灯体３を吊下げる構成により、屋外の風や水中の水等でＬＥＤ灯体３及び拡散体４で構成される光体を揺らすことができるので、揺れによる気分の沈静化、リラックス効果を得ることができる。
【００４８】
〔第２実施形態の発光器具及び発光装置〕
次に、第２実施形態の発光器具について説明するが、特に言及しない箇所は第１実施形態と同様である。第２実施形態の発光器具は、図５に示すように、固定面５１の裏側（図示例では上側）に取り付けられる基体１と、ＬＥＤ３３ｒ、３３ｇ、３３ｂを光源として収容しているＬＥＤ灯体３と、基体１から下方に延びてＬＥＤ灯体３に固着されている電線２と、ＬＥＤ灯体３のＬＥＤ３３ｒ、３３ｇ、３３ｂの放射光を拡散する拡散体４と、ＬＥＤ灯体３及び拡散体４を支持する支持棒５とを備える。即ち、第２実施形態は、第１実施形態と同様の電線２を備えるものの、電線２でＬＥＤ灯体３及び拡散体４を吊下げずに、支持棒５でＬＥＤ灯体３及び拡散体４を支持するものである。
【００４９】
支持棒５は、一端が固定面５１に固定され、他端が拡散体４に固定され、その固定を介して間接的にＬＥＤ灯体３に固定されている。支持棒５の固定面５１への固定には、例えば接着、係合しての接着、螺着、支持棒５の一端に形成した螺子くぎの螺合などを適宜用いることが可能であり、又、支持棒５の拡散体４への固定には、例えば拡散体４を構成する樹脂への埋め込み、拡散体４への螺着などを適宜用いることが可能である。支持棒５の素材は硬質でＬＥＤ灯体３及び拡散体４を所定位置に支持可能なものであれば適宜であるが、目視を難しくするために透光性の素材、例えば透光性の硬質プラスチック等とすると良好である。また、目視を難しくするために、支持棒５の太さは２ｍｍ以下、好ましくは１ｍｍ以下とすると好適である。
【００５０】
そして、第２実施形態の発光器具による発光装置は、例えば図６に示すディスプレイ型の発光装置のように、固定面５１に各発光器具の支持棒５の一端を固定し、支持棒５で各ＬＥＤ灯体３及び拡散体４を支持することにより、複数のＬＥＤ灯体３を所定間隔を開けて複数配設するものであり、より具体的には下記の如くである。
【００５１】
図６（ａ）の発光装置では、天井面である固定面５１に支持棒５の一端を固定し、垂直に延びる支持棒５で下側の各ＬＥＤ灯体３及び拡散体４を支持することにより、各ＬＥＤ灯体３を画素とする平面状の画面１０３を構成するようにして各ＬＥＤ灯体３が平面視で縦横に配列される。この複数のＬＥＤ灯体３により、天井面である固定面５１から浮き出している上方視で視る平面状の画面１０３が構成されており、映像を浮き出させる天井を構成可能である。
【００５２】
図６（ｂ）の発光装置では、床面である固定面５１に支持棒５の一端を固定し、垂直に延びる支持棒５で上側の各ＬＥＤ灯体３及び拡散体４を支持することにより、各ＬＥＤ灯体３を画素とする平面状の画面１０４を構成するようにして各ＬＥＤ灯体３が平面視で縦横に配列される。この複数のＬＥＤ灯体３により、床面である固定面５１から浮き出している下方視で視る平面状の画面１０４が構成されており、映像を浮き出させる床を構成可能である。
【００５３】
図６（ｃ）の発光装置では、壁面である固定面５１に支持棒５の一端を固定し、水平に延びる支持棒５で側方に位置する各ＬＥＤ灯体３及び拡散体４を支持することにより、各ＬＥＤ灯体３を画素とする平面状の画面１０５を構成するようにして各ＬＥＤ灯体３が平面視で縦横に配列される。この複数のＬＥＤ灯体３により、壁面である固定面５１から浮き出している側方視で視る平面状の画面１０５が構成されており、映像を浮き出させる壁を構成可能である。
【００５４】
尚、図６の各発光装置は、空中又は水中で使用することが可能であり、又、曲面状の画面を構成するようにＬＥＤ灯体３を配置するようにしてもよい。また、支持棒５を固定面５１から傾斜して延びるように設けてＬＥＤ灯体３及び拡散体４を支持するようにしてもよい。
【００５５】
また、第２実施形態の発光器具による発光装置の他の例としては、第１実施形態と同様に、擬似宇宙空間の模型等を構成する発光装置、又は、フルカラー等のシャンデリア等の照明装置を構成する発光装置、又は、平面状、曲面状、段差状等にＬＥＤ灯体３を所定間隔を開けて複数配設する各種の平面的或いは立体的な電飾装置を構成する発光装置等とすることが可能である。
【００５６】
第２実施形態では、例えば天井、側壁、床等から延びる支持棒５でＬＥＤ灯体３を支持することができ、吊下げを用いずに天井、側壁、床等からの支持で発光器具を設けることができる。また、支持棒５を用いることにより、ＬＥＤ灯体３及び拡散体４の揺れを防ぐことができ、安定した発光位置を確実に確保することができる。その他に第１実施形態と対応する構成により、第１実施形態と同様の効果を奏する。
【００５７】
〔第３実施形態の発光器具及び発光装置〕
次に、第３実施形態の発光器具について説明するが、特に言及しない箇所は第１、第２実施形態の対応箇所と同様である。第３実施形態の発光器具は、図７に示すように、図示省略する基体１と、ＬＥＤ３３ｒ、３３ｇ、３３ｂを光源として収容しているＬＥＤ灯体３と、ＬＥＤ灯体３に固着されて基体１まで延びる電線２と、ＬＥＤ灯体３のＬＥＤ３３ｒ、３３ｇ、３３ｂの放射光を拡散する拡散体４とを備えており、拡散体４の透光性樹脂４１には挿通留部６１の一部が埋設され、挿通留部６１には挿通孔６２が形成されている。
【００５８】
挿通留部６１の挿通孔６２には、硬質又は湾曲可能な軟質の支持線６が挿通される。挿通孔６２の径は支持線６の径とほぼ同一であり、挿通孔６２は支持線６と摺接し、挿通留部６１及びこれと固定されているＬＥＤ灯体３と拡散体４は、支持線６に沿って摺動するようになっている。即ち、ＬＥＤ灯体３と拡散体４は、必要に応じて支持線６に沿って移動可能であると共に、所定位置で定置可能である。更に、図９に示すように、直線状又は曲線状の支持線６には、複数の第３実施形態の発光器具或いはＬＥＤ灯体３が数珠繋ぎに繋がれるようにして設けられ、これらを所定間隔を開けて複数配設することにより、発光装置を構成している。
【００５９】
尚、支持線６と各発行器具とを連結する構成は上記構成に限定されず、例えば図８（ａ）に示すように、拡散体４の透光性樹脂４１に一部埋設されている挿通留部６３の挿通孔６４を支持線６の径より大径とし、ＬＥＤ灯体３及び拡散体４を支持線６に沿ってスムーズに移動可能にすると共に、支持線６の所定位置でＬＥＤ灯体３及び拡散体４を定置する場合には、挿通孔６４と支持線６との間の隙間に留めキー６５を挿入して定置する構成としてもよい。また、例えば図８（ｂ）に示すように、先端にやや大径の部分を有する突出留部６６の一部を拡散体４の透光性樹脂に一部埋設すると共に、支持線６の周囲に筒体６７を嵌め、筒体６７内に突出留部６６を挿入して、ＬＥＤ灯体３及び拡散体４を定置してもよい。
【００６０】
第３実施形態により、空中や水中に浮揚するライン電飾、曲面電飾、円筒形・球形・多面体形・螺旋形等の立体電飾を構成することが可能となる。その他に第１実施形態と対応する構成により、第１実施形態と同様の効果を奏する。
【００６１】
〔実施形態の変形例等〕
本発明は第１〜第３実施形態に限定されるものではなく、下記のような各種の変形が可能であり、又、上記実施形態や下記例を適宜組み合わせたものも包含する。
【００６２】
例えば第１〜第３実施形態では、主導線を給電線２１とする場合について説明したが、駆動制御線２２、２３、２４の何れかを主導線とし、残りの駆動制御線と給電線２１を主導線以外の複数の導線とし、第１〜第３実施形態の主導線、複数の導線に対応させる構成としてもよい。また、第１実施形態では、給電線２１の周囲に駆動制御線２２、２３、２４を撚って設ける構成について説明したが、給電線２１と駆動制御線２２、２３、２４は略隣接して全体として同方向に延びる構成であれば適宜であり、例えば駆動制御線２２、２３、２４を真っ直ぐに延ばして給電線２１と沿うように並設する構成としてもよい。また、給電線２１と駆動制御線２２、２３、２４とから構成される電線２は、例えば給電線２１等の主導線が略直線状に延び、全体として略直線状に延びるものとすると好適であるが、用途に応じて、例えば全体として略螺旋状になって延びるものとすることも可能である。
【００６３】
また、第１〜第３実施形態では、駆動制御線の本数を３本にしたが、必要に応じて適宜数設けることが可能であり、例えばＬＥＤ灯体２のＬＥＤが一つの場合は１本等とすることが可能であり、又、ＬＥＤ灯体３のＬＥＤが複数の場合には、ＬＥＤの個数に応じた本数、或いは複数のＬＥＤに対して１本とすることが可能であり、又、各組が複数のＬＥＤで構成されるＬＥＤの複数組がＬＥＤ灯体３に設けられる場合には、各組に対応して１本或いは各組のＬＥＤの個数よりも少ない個数の駆動制御線を設けることが可能である。図１０、図１１は、Ｒ、Ｇ、Ｂがそれぞれ複数個のＬＥＤで構成され、複数組のＬＥＤを有するＬＥＤ灯体３の構成に於いて、各組に対応してそれぞれ１本の駆動制御線を設ける例であり、図１０は赤のＬＥＤ３３ｒ、３３１ｒ、緑のＬＥＤ３３ｇ、３３１ｇ、青のＬＥＤ３３ｂ、３３１ｂをそれぞれ直列に配置する例、図１１は赤のＬＥＤ３３ｒ、３３２ｒ、緑のＬＥＤ３３ｇ、３３２ｇ、青のＬＥＤ３３ｂ、３３２ｂをそれぞれ並列に配置する例である。
【００６４】
また、拡散体４の拡散片には、ガラスビーズ以外にも、光拡散機能を有する適宜の形状及び素材のものを用いることが可能である、また、拡散体４は、灯体の周囲を略球形に被覆する他に、例えば楕円形、円柱形、多面体、若しくは凹凸を持たせた形状等で被覆することも可能である。また、電線２の外周全体に亘って設けられる絶縁保護膜２５の外周面の反射率を低反射率、例えば反射率４％〜２０％とすると、吊下線などの電線２の目視をより難しくすることができて好ましい。
【００６５】
また、電線２は上記実施形態のものに限定されず、例えば図１２のような電線２を用いてもよい。図１２の電線２は、中心に給電線２１が鉛直方向に延び、給電線２１の周囲に駆動制御線２２、２３、２４を撚って設けている構成であるが、給電線２１の周囲に給電線２１よりも半田と親和性の高い導電性メッキ層２１１が被覆され形成されている。例えば給電線２１は０．６〜０．９５重量％の炭素を含有する硬鋼線であるピアノ線、導電性メッキ層２１１はピアノ線よりも半田と親和性が高い銅メッキ層等とする。換言すれば、芯線とその導電性の被覆層を主導線とするものである。また、給電線２１をリン青銅又はベリリウム銅の芯線とし、そこに半田被覆をした導線を用いることも可能である。
【００６６】
また、図１３に示すように、第３実施形態の発光器具を用いて、各支持線６に複数のＬＥＤ灯体３を数珠つなぎで設け、それを平面視で縦横に所定間隔で配置して発光装置とし、換言すればＬＥＤ灯体３を縦横高さに所定間隔で配置して発光装置とし、立体的な電飾或いは立体的なディスプレイを構成してもよい。
【産業上の利用可能性】
【００６７】
本発明は、例えば電飾用や照明用や情報表示用の発光器具として利用することができる。
【図面の簡単な説明】
【００６８】
【図１】第１実施形態の発光器具を示す構成説明図。
【図２】第１実施形態の発光器具の回路構成を示す回路図。
【図３】第１実施形態に於ける電線の横断面図。
【図４】（ａ）は第１実施形態の発光器具による発光装置の第１例を示す斜視説明図、（ｂ）はその第２例を示す斜視説明図。
【図５】第２実施形態の発光器具を示す構成説明図。
【図６】（ａ）は第２実施形態の発光器具による発光装置の第１例を示す斜視説明図、（ｂ）はその第２例を示す斜視説明図、（ｃ）はその第３例を示す斜視説明図。
【図７】第３実施形態の発光器具を示す構成説明図。
【図８】（ａ）は第３実施形態の発光器具の第１変形例を示す構成説明図、（ｂ）はその第２変形例を示す構成説明図。
【図９】（ａ）は第３実施形態の発光器具による発光装置の第１例を示す斜視説明図、（ｂ）はその第２例を示す斜視説明図。
【図１０】複数組のＬＥＤに対して各組に１本の駆動制御線を設ける第１例の回路図。
【図１１】複数組のＬＥＤに対して各組に１本の駆動制御線を設ける第２例の回路図。
【図１２】電線の変形例を示す横断面図。
【図１３】発光装置の変形例を示す斜視説明図。
【符号の説明】
【００６９】
１…基体  １１ｒ、１１ｇ、１１ｂ…定電流回路  １２ｒ、１２ｇ、１２ｂ…スイッチ  １３…電源回路  ２…電線  ２１…給電線  ２１１…導電性メッキ層  ２２、２３、２４…駆動制御線  ２２１、２３１、２４１…絶縁保護膜  ２５…絶縁保護膜  ３…ＬＥＤ灯体  ３１…発光部  ３２…半田付け部  ３３ｒ、３３１ｒ、３３２ｒ、３３ｇ、３３１ｇ、３３２ｇ、３３ｂ、３３１ｂ、３３２ｂ…ＬＥＤ  ４…拡散体  ４１…透光性樹脂  ４２…ガラスビーズ  ５…支持棒  ５１…固定面  ６…支持線  ６１、６３…挿通留部  ６２、６４…挿通孔  ６５…留めキー  ６６…突出留部  ６７…筒体  １０１、１０３〜１０５…平面状の画面  １０２…曲面状の画面
【図１】
2010244840.tif 000003
【図２】
2010244840.tif 000004
【図３】
2010244840.tif 000005
【図４】
2010244840.tif 000006
【図５】
2010244840.tif 000007
【図６】
2010244840.tif 000008
【図７】
2010244840.tif 000009
【図８】
2010244840.tif 000010
【図９】
2010244840.tif 000011
【図１０】
2010244840.tif 000012
【図１１】
2010244840.tif 000013
【図１２】
2010244840.tif 000014
【図１３】
2010244840.tif 000015